(57)【要約】      （修正有）【課題】ＲＦ信号記録再生装置及びＲＦ信号記録再生方法において、再生時に位相のずれによる波形のくずれやスプリアスが発生する可能性が低くなるようにする。【解決手段】少なくとも二系統に分配されたＲＦ信号が、分配された系統ごとに異なるローカル信号による周波数変換がされ、同じ帯域のＩＦ周波数で系統ごとに出力されたＩＦ信号が、ＩＦ信号を周波数変換する前の周波数に換算した場合の通過帯域のうち、隣り合うものがＲＦ信号の最大変調幅以上の帯域分重複した複数のバンドパスフィルタ部で濾波され、バンドパスフィルタ部ごとに設けられたディジタルＲＦメモリ部にそれぞれ記録させ、ディジタルＲＦメモリ部にそれぞれ記録されたＩＦ信号を使用して、当該ＩＦ信号に対応する系統におけるローカル信号で周波数変換したＲＦ信号を再生する。【選択図】図２
2019207256.tif 000002
【特許請求の範囲】
【請求項１】
少なくとも二系統に分配されたＲＦ信号を、分配された系統ごとに異なるローカル信号による周波数変換されたＩＦ信号として前記系統ごとに同じ帯域のＩＦ周波数で出力する周波数変換部群と、前記系統ごとに出力された前記ＩＦ信号ごとにそれぞれ設けられたバンドパスフィルタ部を有し、前記ＩＦ信号を周波数変換する前の周波数に換算した場合の通過帯域の一部が重複する二つの前記バンドパスフィルタ部が、前記ＲＦ信号の最大変調幅以上の帯域分、前記通過帯域が重複しているバンドパスフィルタ部群と、前記バンドパスフィルタ部ごとに濾波されたＩＦ信号ごとにそれぞれ設けられたディジタルＲＦメモリ部が当該ＩＦ信号を記録する記録部と、前記ディジタルＲＦメモリ部ごとに記録されたＩＦ信号を元に、当該ＩＦ信号に対応する前記系統における前記ローカル信号で周波数変換した前記ＲＦ信号を再生する再生部とを備えたことを特徴とするＲＦ信号記録再生装置。
【請求項２】
前記周波数変換部群は、それぞれ異なる前記ローカル信号を発振する複数の発振器を有し、
前記再生部は、前記ディジタルＲＦメモリ部ごとに記録されたＩＦ信号を周波数変換するために、複数の前記発振器から当該ＩＦ信号に対応する前記系統における前記ローカル信号を発振するものを選択することを特徴とする請求項１に記載のＲＦ信号記録再生装置。
【請求項３】
前記再生部は、複数の前記発振器から当該ＩＦ信号に対応する前記系統における前記ローカル信号として、前記系統ごとに同じ帯域のＩＦ周波数で出力するための周波数変換に使用されたものを選択することを特徴とする請求項２に記載のＲＦ信号記録再生装置。
【請求項４】
少なくとも二系統に分配されたＲＦ信号が、分配された系統ごとに異なるローカル信号による周波数変換がされ、同じ帯域のＩＦ周波数で前記系統ごとに出力されたＩＦ信号が、前記ＩＦ信号を周波数変換する前の周波数に換算した場合の通過帯域のうち、隣り合うものが前記ＲＦ信号の最大変調幅以上の帯域分重複した複数のバンドパスフィルタ部で濾波され、前記バンドパスフィルタ部ごとに設けられたディジタルＲＦメモリ部にそれぞれ記録させる記録ステップと、前記記録ステップで前記ディジタルＲＦメモリ部にそれぞれ記録されたＩＦ信号を使用して、当該ＩＦ信号に対応する前記系統における前記ローカル信号で周波数変換した前記ＲＦ信号を再生する再生ステップとを備えたことを特徴とするＲＦ信号記録再生方法。
【請求項５】
前記再生ステップは、前記ディジタルＲＦメモリ部ごとに記録されたＩＦ信号を周波数変換するために、それぞれ異なる前記ローカル信号を発振する複数の発振器から、当該ＩＦ信号に対応する前記系統における前記ローカル信号を発振するものを選択することを特徴とする請求項４に記載のＲＦ信号記録再生方法。
【請求項６】
前記再生ステップは、複数の前記発振器から当該ＩＦ信号に対応する前記系統における前記ローカル信号として、前記系統ごとに同じ帯域のＩＦ周波数で出力するための周波数変換に使用されたものを選択することを特徴とする請求項５に記載のＲＦ信号記録再生方法。
【発明の詳細な説明】
【技術分野】
【０００１】
この発明は、レーダ信号（受信信号）などのＲＦ信号を記録するＲＦ信号記録再生装置及びＲＦ信号記録再生方法に関するものである。
【背景技術】
【０００２】
レーダ信号（受信信号）をなどのＲＦ（Ｒａｄｉｏ  Ｆｒｅｑｕｅｎｃｙ）信号を記録する装置は、記録したＲＦ信号を再生する装置と併用される場合がある。このような装置、すなわち、ＲＦ信号記録再生装置は、レーダ波や通信波などの電波を受信して記録し、受信した電波を再生して送信する電波応用装置（例えば、特許文献１参照）や、レーダ装置の性能を評価するためのレーダエコー生成装置（例えば、特許文献２参照）の記録機能に使用されるものである。
【０００３】
ＲＦ信号記録再生装置（ＲＦ信号記録装置）では、ＲＦ信号をディジタルＲＦメモリ装置（ディジタル記憶装置）に記録している。ディジタルＲＦメモリ装置は、ＲＦ信号をＡ／Ｄ変換してメモリに記録（記憶）させて蓄積するものである（例えば、特許文献３参照）。なお、ディジタルＲＦメモリ装置は、蓄積したＲＦ信号を再生する際に、Ｄ／Ａ変換の前に周波数変調を行うことができる。
【０００４】
従来のＲＦ信号記録再生装置は、ＲＦ信号の再生時に再生する周波数に合わせて、アップコンバートするためのローカル信号の周波数を選択するものがある（例えば、特許文献１参照）。また、従来のＲＦ信号記録再生装置（ＲＦ信号記録装置）は、複数のディジタルＲＦメモリ装置を有し、二つのディジタルＲＦメモリ装置が記録するＲＦ信号の帯域を一部重複させているものがある（例えば、特許文献２参照）。このようにすることで、記録するＲＦ信号の対象を広帯域化することができる。この広帯域化により、ＲＦ信号記録装置は、搬送波の周波数を時間とともに高速に変化させることによってスペクトルを拡散する方式（周波数ホッピング方式）を用いたレーダ装置（通信装置）から送出されるレーダ信号（受信信号）の記録も可能となってきている。
【先行技術文献】
【特許文献】
【０００５】
【特許文献１】特開２００５−９１１７０号公報
【特許文献２】特開２００６−１５３７００号公報
【特許文献３】特開２０１０−１９７０９１号公報
【発明の概要】
【発明が解決しようとする課題】
【０００６】
しかしながら、近年のレーダ装置（通信装置）技術の進展により、周波数ホッピング方式を用いたレーダ装置（通信装置）から送出されるレーダ信号（受信信号）のホッピング周波数範囲が、数ＧＨｚ以上となる可能性がある。このような広帯域のレーダ信号（受信信号）をディジタルＲＦメモリ装置で記録するためには、さらなる広帯域化や高サンプリング周波数化等のディジタルＲＦメモリ装置の性能向上が必要であるという課題がある。
【０００７】
特許文献２に記載の広帯域化手法は、二つのディジタルＲＦメモリ装置が記録するレーダ信号（受信信号）の帯域を一部重複させて記録し、再生時にアナログ合成してレーダ信号（受信信号）を復元している。そのため、二つのディジタルＲＦメモリ装置の重複している領域に亘って、レーダ信号（受信信号）を記録した場合、再生時に重複している領域のノイズや信号が二重に合成されることになる。よって、再生時に位相のずれによる波形のくずれやスプリアスが発生する可能性があり、再生するレーダ信号（受信信号）の忠実性に課題がある。
【０００８】
この発明は、上記のような課題を解決するためになされたものであり、再生時に位相のずれによる波形のくずれやスプリアスが発生する可能性が低くなるように、ＲＦ信号（ＩＦ（Ｉｎｔｅｒｍｅｄｉａｔｅ  Ｆｒｅｑｕｅｎｃｙ）信号）を記録するＲＦ信号記録再生装置及びＲＦ信号記録再生方法を得ることを目的とする。
【課題を解決するための手段】
【０００９】
この発明は、少なくとも二系統に分配されたＲＦ信号が、分配された系統ごとに異なるローカル信号による周波数変換がされ、同じ帯域のＩＦ周波数で前記系統ごとに出力されたＩＦ信号が、前記ＩＦ信号を周波数変換する前の周波数に換算した場合の通過帯域のうち、隣り合うものが前記ＲＦ信号の最大変調幅以上の帯域分重複した複数のバンドパスフィルタ部で濾波され、前記バンドパスフィルタ部ごとに設けられたディジタルＲＦメモリ部にそれぞれ記録させ、前記ディジタルＲＦメモリ部にそれぞれ記録されたＩＦ信号を使用して、当該ＩＦ信号に対応する前記系統における前記ローカル信号で周波数変換した前記ＲＦ信号を再生することを特徴とするものである。
【発明の効果】
【００１０】
この発明によれば、再生するＲＦ信号の元となるＩＦ信号をディジタルＲＦメモリ部ごとに個別に記録又は選択することができるＲＦ信号記録再生装置及びＲＦ信号記録再生方法を得ることができる。
【図面の簡単な説明】
【００１１】
【図１】この発明の実施の形態１に係るＲＦ信号記録装置（ＲＦ信号記録再生装置）の構成を示す機能ブロック図（第１例）である。
【図２】この発明の実施の形態１に係るＲＦ信号記録再生装置（ＲＦ信号記録装置）の構成を示す機能ブロック図（第１例）である。
【図３】この発明の実施の形態１に係るＲＦ信号記録装置（ＲＦ信号記録再生装置）の構成を示す機能ブロック図（第１例、第２例共通）である。
【図４】この発明の実施の形態１に係るＲＦ信号記録装置（ＲＦ信号記録再生装置）のバンドパスフィルタ部の通過帯域（デジタルＲＦメモリ部の記録帯域）を示すグラフ（第１例、第２例共通）である。
【図５】この発明の実施の形態１に係るＲＦ信号記録装置（ＲＦ信号記録再生装置）の再生部（制御部）の動作説明のための条件テーブルの例（第１例、第２例共通）である。
【図６】この発明の実施の形態１に係るＲＦ信号記録装置（ＲＦ信号記録再生装置）の構成を示す機能ブロック図（第２例）である。
【図７】この発明の実施の形態１に係るＲＦ信号記録再生装置（ＲＦ信号記録装置）の構成を示す機能ブロック図（第２例）である。
【図８】この発明の実施の形態１に係るＲＦ信号記録装置及びＲＦ信号記録再生装置におけるローカル信号（第１ローカル信号及び第２ローカル信号）のテーブルの例（第１例及び第２例）である。
【図９】この発明の実施の形態１に係るＲＦ信号記録方法（ＲＦ信号記録再生方法の一部）を説明するフローチャートである。
【図１０】この発明の実施の形態１に係るＲＦ信号記録再生方法の一部を説明するフローチャートである。
【図１１】この発明の実施の形態１に係るＲＦ信号記録再生方法の一部を説明するフローチャートである。
【発明を実施するための形態】
【００１２】
実施の形態１．（装置）
以下、この発明の実施の形態１に係るＲＦ信号記録装置及びＲＦ信号記録再生装置について、図１〜図５を用いて説明する。まず、実施の形態１に係るＲＦ信号記録装置の構成を説明する。図１において、分配部１は、第１ローカル信号で周波数変換されたＲＦ信号が少なくともｎ系統以上に分配するものである（ｎは２以上の整数）。周波数変換部群２は、分配部１により分配されたＲＦ信号の系統ごとに異なる周波数の第２ローカル信号でそれぞれ周波数変換して系統ごとにＩＦ信号として出力する第２周波数変換部（第２周波数変換部２１、第２周波数変換部２２、・・、第２周波数変換部２ｎ）をｎ個有するものである（ｎは２以上の整数）。
【００１３】
例えば、ＲＦ信号記録装置及びＲＦ信号記録再生装置が、受信したレーダ信号を記録（記憶）する対象としている場合、レーダ信号（ＲＦ信号）をＩＦ信号に周波数変換時に、分配部１により分配して系統ごとに異なる周波数の第２ローカル信号の周波数で周波数変換（ダウンコンバート）することで、記録周波数（記憶周波数）範囲内の全ての信号を同時に記録（記憶）可能な構成となる。詳しくは、分配して系統ごとに異なる周波数の第２ローカル信号の周波数で、分配後の信号をそれぞれ周波数変換（ダウンコンバート）することで、系統ごとのＩＦ周波数の帯域を設定することができる。もちろん、系統ごとに同じ帯域の周波数のＩＦ信号（ＩＦ周波数）を出力させることもできる。
【００１４】
このように出力される帯域を設定されたＩＦ信号は、記録中心周波数（記憶中心周波数）ｆ１〜ｆｎ（ｎは２以上の整数）の系統ごとに帯域幅が狭帯域のバンドパスフィルタ部（後述のバンドパスフィルタ部３１、バンドパスフィルタ部３２、・・、バンドパスフィルタ部３ｎ）を通過して、後述のディジタルＲＦメモリ部（ディジタルＲＦメモリ部４１、ディジタルＲＦメモリ部４２、・・、ディジタルＲＦメモリ部４ｎ）ごとに入力される。なお、ｆ１〜ｆｎは、記録中心周波範囲を分割した各帯域の中心周波数を意味している。説明を複雑化させないために、入力されるＲＦ信号の周波数が、各帯域の中心周波数である場合を例に説明を行う。周波数変換部群２が、ＩＦ信号を周波数変換（ダウンコンバート）して、系統ごとに同じ帯域の周波数のＩＦ信号を出力させる構成であれば、バンドパスフィルタ部とディジタルＲＦメモリ部とは、それぞれ同じ性能のものを複数使用しても、記録周波数範囲の全てのものが記録可能である。なお、記録中心周波数ｆ１〜ｆｎとは、それぞれディジタルＲＦメモリ部４１、ディジタルＲＦメモリ部４２、・・、ディジタルＲＦメモリ部４ｎの記録中心周波数を意味しており、バンドパスフィルタ部３１、バンドパスフィルタ部３２、・・、バンドパスフィルタ部３ｎそれぞれの通過帯域の中心周波数にも相当する。また、帯域幅が狭帯域のバンドパスフィルタ部とは、後述のバンドパスフィルタ部群３の通過帯域の帯域幅、及び、ディジタルＲＦメモリ部の記録帯域の帯域幅と比較して、狭帯域であると意味である。
【００１５】
図１において、バンドパスフィルタ部群３は、周波数変換部群２から系統ごとに出力されたＩＦ信号ごとにそれぞれ設けられたバンドパスフィルタ部（バンドパスフィルタ部３１、バンドパスフィルタ部３２、・・、バンドパスフィルタ部３ｎ）をｎ個有するものである（ｎは２以上の整数）。図中のＢＰＦ部群とＢＰＦ部とは、それぞれバンドパスフィルタ部群とバンドパスフィルタ部とを意味している。バンドパスフィルタ部群３は、ＲＦ信号が取り得る周波数帯域をバンドパスフィルタ部３１、バンドパスフィルタ部３２、・・、バンドパスフィルタ部３ｎによりカバーしている。換言すると、バンドパスフィルタ部群３の重複部分を含む通過帯域をつなげたことで、通過帯域の下限と上限の範囲が、ＲＦ信号が取り得る周波数帯域となるともいえる。なお、ＲＦ信号が取り得る周波数帯域とは、実施の形態１に係るＲＦ信号記録装置及びＲＦ信号記録再生装置が記録するＲＦ信号が、例えば、周波数ホッピング方式のレーダ信号（受信信号）のホッピング周波数範囲を意味している。ホッピング周波数範囲は、一般化すると「記録周波数範囲（記憶周波数範囲）」といえる。
【００１６】
バンドパスフィルタ部（バンドパスフィルタ部３１、バンドパスフィルタ部３２、・・、バンドパスフィルタ部３ｎ）において、通過帯域の一部が重複する二つのバンドパスフィルタ部、つまり、重複部分を含む通過帯域が隣り合うバンドパスフィルタ部は、ＲＦ信号の最大変調幅以上の帯域分、通過帯域が重複している。換言すると、重複している通過帯域以内の変調幅であるＲＦ信号であれば、実施の形態１に係るＲＦ信号記録装置及びＲＦ信号記録再生装置によって記録（記憶）させることで、再生するＲＦ信号の元となるＩＦ信号を後述のディジタルＲＦメモリ部（ディジタルＲＦメモリ部４１、ディジタルＲＦメモリ部４２、・・、ディジタルＲＦメモリ部４ｎ）ごとに個別に記録又は選択することができるといえる。
【００１７】
図１において、記録部４は、ディジタルＲＦメモリ部（ディジタルＲＦメモリ部４１、ディジタルＲＦメモリ部４２、・・、ディジタルＲＦメモリ部４ｎ）をｎ個有している（ｎは２以上の整数）。図中のＤＲＦＭ部は、ディジタルＲＦメモリ部を意味している。記録部４は、バンドパスフィルタ部（バンドパスフィルタ部３１、バンドパスフィルタ部３２、・・、バンドパスフィルタ部３ｎ）ごとに濾波されたＩＦ信号ごとにそれぞれ設けられたディジタルＲＦメモリ部（ディジタルＲＦメモリ部４１、ディジタルＲＦメモリ部４２、・・、ディジタルＲＦメモリ部４ｎ）が当該ＩＦ信号を記録（記憶）するものである。
【００１８】
ここで、バンドパスフィルタ部群３（バンドパスフィルタ部３１、バンドパスフィルタ部３２、・・、バンドパスフィルタ部３ｎ）の通過帯域とディジタルＲＦメモリ部（ディジタルＲＦメモリ部４１、ディジタルＲＦメモリ部４２、・・、ディジタルＲＦメモリ部４ｎ）の記録帯域とに関して詳細説明を行なう。例えば、分配されたＲＦ信号が周波数変換されて、系統ごとに同じ帯域の周波数のＩＦ信号で出力されている場合は、実際の通過帯域及び記録帯域は、同じものでよいということになる。つまり、一部ではなく全て通過帯域及び記録帯域が重複することになり、矛盾していることになる。しかし、バンドパスフィルタ部群３とディジタルＲＦメモリ部とは、周波数変換した後のＩＦ信号を濾波して記憶するものである。よって、本願で説明している通過帯域及び記録帯域とは、ＩＦ信号を周波数変換する前の周波数、つまり、ＲＦ信号の周波数に換算した場合の通過帯域及び記録帯域を意味していることは明らかであるため、当業者にとっては矛盾しない表現であるといえる。
【００１９】
次に、実施の形態１に係るＲＦ信号記録再生装置の構成を説明する。実施の形態１に係るＲＦ信号記録再生装置は、実施の形態１に係るＲＦ信号記録装置の構成に加えて、再生部５を有している。図１において、再生部５は、ディジタルＲＦメモリ部（ディジタルＲＦメモリ部４１、ディジタルＲＦメモリ部４２、・・、ディジタルＲＦメモリ部４ｎ）ごとに記録されたＩＦ信号を元にＲＦ信号を再生するものである。再生部５は、通過帯域の一部が重複する二つのバンドパスフィルタ部の重複している部分の帯域のＩＦ信号がある場合は、振幅が大きい方のＩＦ信号が記録されている方のディジタルＲＦメモリ部のＩＦ信号を使用するものである。また、ＲＦ信号記録装置（ＲＦ信号記録再生装置）のディジタルＲＦメモリ部（ディジタルＲＦメモリ部４１、ディジタルＲＦメモリ部４２、・・、ディジタルＲＦメモリ部４ｎ）とＲＦ信号記録装置の再生部５とは、ＲＦ信号記録装置の変調部６の一部の構成である。変調部６は、記録されたＩＦ信号を元にＲＦ信号を復元するための変調を行なうものである。
【００２０】
実施の形態１に係るＲＦ信号記録再生装置（ＲＦ信号記録装置）では、通過帯域の重複分がＲＦ信号の最大変調幅以上となっているので、通過帯域の一部が重複する二つのバンドパスフィルタ部の重複している部分の帯域のＩＦ信号がある場合を考える。この場合、二つのバンドパスフィルタ部のいずれか一方の後段に接続されたディジタルＲＦメモリ部に記録されたＩＦ信号をＲＦ信号の再生に使用すればよい。もちろん、受信感度（振幅）が高い方を選択する方が、ノイズレベルが低いので、再生時の忠実性がより高まる。
【００２１】
ここで、再生部５が、振幅が大きい方のＩＦ信号が記録されている方のディジタルＲＦメモリ部のＩＦ信号をＲＦ信号の再生に使用するという意味を説明する。前述のとおり、再生時の忠実性をより高めるためには、受信感度（振幅）が高い方のＩＦ信号を記録したディジタルＲＦメモリ部を選択することになる。もちろん、記録部４にＩＦ信号を記録する際に、受信感度（振幅）が高い方のみを記録しておき、受信感度（振幅）が低い方を記録しなくても同様のことができる。つまり、再生部５が、振幅が大きい方のＩＦ信号が記録されている方のディジタルＲＦメモリ部のＩＦ信号をＲＦ信号の再生に使用するという意味は、少なくとも二つの意味がある。この二つの意味を説明するために、実施の形態１に係るＲＦ信号記録再生装置（ＲＦ信号記録装置）の判定部７を説明する。
【００２２】
図１において、判定部７は、記録部４に形成されている。判定部７は、バンドパスフィルタ部（バンドパスフィルタ部３１、バンドパスフィルタ部３２、・・、バンドパスフィルタ部３ｎ）ごとに濾波されたＩＦ信号の有無を判定する判定回路（判定回路７１、判定回路７２、・・、判定回路７ｎ）が形成されている。そして、判定の結果、ＩＦ信号がある場合は対応するディジタルＲＦメモリ部（ディジタルＲＦメモリ部４１、ディジタルＲＦメモリ部４２、・・、ディジタルＲＦメモリ部４ｎ）に記録（記憶）させるものである。判定部７は、この動作に加えて次の二つの動作のいずれか一方を行うものである。この二つの動作が、前述の二つの意味に相当する。
【００２３】
一つ目の動作は次のとおりである。判定部７は、バンドパスフィルタ部（バンドパスフィルタ部３１、バンドパスフィルタ部３２、・・、バンドパスフィルタ部３ｎ）ごとに濾波されたＩＦ信号の有無を判定し、ＩＦ信号がある場合であって、通過帯域の一部が重複する二つのバンドパスフィルタ部の重複している部分の帯域のＩＦ信号がある場合は、それぞれの振幅の値を比較する。この振幅の値は、判定部７から再生部５へ送られる。再生部５は、判定部７が比較した振幅の値から振幅が大きい方のＩＦ信号が記録されている方の前記ディジタルＲＦメモリ部のＩＦ信号を使用すればよい。再生部５は、制御部５１によりディジタルＲＦメモリ部（ディジタルＲＦメモリ部４１、ディジタルＲＦメモリ部４２、・・、ディジタルＲＦメモリ部４ｎ）を制御して、ディジタルＲＦメモリ部ごとに記録（記憶）されたＩＦ信号を元にＲＦ信号を再生する。
【００２４】
二つ目の動作は次のとおりである。判定部７は、バンドパスフィルタ部（バンドパスフィルタ部３１、バンドパスフィルタ部３２、・・、バンドパスフィルタ部３ｎ）ごとに濾波されたＩＦ信号の有無を判定し、ＩＦ信号がある場合であって、通過帯域の一部が重複する二つのバンドパスフィルタ部の重複している部分の帯域のＩＦ信号がある場合は、それぞれの振幅の値を比較して振幅の大きい方のみを対応するディジタルＲＦメモリ部に記録させる。再生部５は、制御部５１によりディジタルＲＦメモリ部（ディジタルＲＦメモリ部４１、ディジタルＲＦメモリ部４２、・・、ディジタルＲＦメモリ部４ｎ）を制御して、ディジタルＲＦメモリ部ごとに記録されたＩＦ信号を元にＲＦ信号を再生する。
【００２５】
これまでは、実施の形態１に係るＲＦ信号記録再生装置において、通過帯域の一部が重複する二つのバンドパスフィルタ部の重複している部分の帯域のＩＦ信号がある場合、再生時の忠実性を高める方向で説明を行っていた。しかし、忠実性よりも構成の簡素性を重視する場合は、再生部５の動作は次のとおりでもよい。つまり、再生部５は、通過帯域の一部が重複する二つのバンドパスフィルタ部の重複している部分の帯域のＩＦ信号がある場合は、いずれか一方のディジタルＲＦメモリ部のＩＦ信号を使用するものであるといえる。
【００２６】
よって、実施の形態１に係るＲＦ信号記録装置は、第１ローカル信号で周波数変換されたＲＦ信号が少なくとも二系統に分配され、分配された系統ごとに異なる周波数の第２ローカル信号でそれぞれ周波数変換して系統ごとにＩＦ信号として出力する第２周波数変換部（第２周波数変換部２１、第２周波数変換部２２、・・、第２周波数変換部２ｎ）を有する周波数変換部群２と、系統ごとに出力されたＩＦ信号ごとにそれぞれ設けられたバンドパスフィルタ部（バンドパスフィルタ部３１、バンドパスフィルタ部３２、・・、バンドパスフィルタ部３ｎ）を有し、通過帯域の一部が重複する二つのバンドパスフィルタ部が、ＲＦ信号の最大変調幅以上の帯域分、通過帯域が重複しているバンドパスフィルタ部群４と、バンドパスフィルタ部（バンドパスフィルタ部３１、バンドパスフィルタ部３２、・・、バンドパスフィルタ部３ｎ）ごとに濾波されたＩＦ信号ごとにそれぞれ設けられたディジタルＲＦメモリ部（ディジタルＲＦメモリ部４１、ディジタルＲＦメモリ部４２、・・、ディジタルＲＦメモリ部４ｎ）が当該ＩＦ信号を記録する記録部５とを備えたことを特徴とするものであるといえる。
【００２７】
実施の形態１に係るＲＦ信号記録装置では、分配部１によって分配された系統のうち、記録周波数範囲が隣り合う系統に対して、レーダ信号最大変調幅以上の範囲を重複させたバンドパスフィルタ部（例えば、バンドパスフィルタ部３１とバンドパスフィルタ部３２、または、バンドパスフィルタ部３（ｎ−１）とバンドパスフィルタ部３ｎ）とそれらに対応するディジタルＲＦメモリ部にＲＦ信号（ＩＦ信号に変換されたもの）が記録される。これによって、入力されたＲＦ信号は一つまたは二つのディジタルＲＦメモリ部に記録されることになる。二つのディジタルＲＦメモリ部にＲＦ信号（ＩＦ信号に変換されたもの）が記録される場合とは、通過帯域の一部が重複している部分の帯域のＩＦ信号がある場合である。二つのディジタルＲＦメモリ部にＲＦ信号（ＩＦ信号に変換されたもの）が記録された場合でも、前述のとおり、実施の形態１に係るＲＦ信号記録再生装置（再生部５）は、いずれか一方のディジタルＲＦメモリ部のＩＦ信号を使用すればよい。
【００２８】
上述の一つ目及び二つ目の動作のいずれの場合においても、再生部５は、使用するＩＦ信号に対応する系統における第２ローカル信号で当該ＩＦ信号を周波数変換し、さらに、第１ローカル信号で周波数変換して、ＲＦ信号を再生するものである。図２を用いて、このような再生部５の動作を含めた実施の形態１に係るＲＦ信号記録再生装置（ＲＦ信号記録装置）のより具体的な構成を説明する。図中、他の図と同じ符号のものは説明を省略する場合がある。
【００２９】
図２に示すＲＦ信号記録再生装置（ＲＦ信号記録装置）は、後述する第１ミキサ８にＲＦ信号が入力される構成となっている。ＲＦ信号記録再生装置（ＲＦ信号記録装置）は、第１ミキサ８の前段に、レーダ波や通信波などの電波を受信して増幅する受信空中線部を備えてもよい。受信空中線部は、送信アンテナ部と受信増幅部とを有している。また、図２に示すＲＦ信号記録再生装置は、後述する再生部５の後段に、記録して再生したＲＦ信号を増幅して空間に送出する送信空中線部を備えていてもよい。送信空中線部は、送信アンテナ部と送信増幅部とを有している。つまり、実施の形態１に係るＲＦ信号記録再生装置（ＲＦ信号記録装置）は、レーダ波や通信波などの電波を受信して記録する電波応用装置やレーダエコー生成記録装置として機能させてもよいということになる。同じく、実施の形態１に係るＲＦ信号記録再生装置は、レーダ波や通信波などの電波を受信して記録し、記録した電波（ＲＦ信号）を再生して送信する電波応用装置やレーダエコー生成装置として機能させてもよいということになる。
【００３０】
図２において、第１ミキサ８及び第１発振器９は、ＲＦ信号を第１ローカル信号で周波数変換（ダウンコンバート）する第１周波数変換部を構成している。第１発振器９は第１ローカル信号を発振するものである。第１ミキサ８は、ＲＦ信号と第１発振器９が発振した第１ローカル信号とをミキシングして、ＲＦ信号を周波数変換（ダウンコンバート）する。第１ローカル信号で周波数変換されたＲＦ信号は、分配部１によりｎ系統に分配されて周波数変換部群２に入力される。周波数変換部群２において、分配された系統ごとに第２周波数変換部（第２周波数変換部２１、第２周波数変換部２２、・・、第２周波数変換部２ｎ）が形成されている。
【００３１】
図２において、第２ミキサ群１０（第２ミキサ１０１、第２ミキサ１０２、・・、第２ミキサ１０ｎ）及び第２発振器群１１（第２発振器１１１、第２発振器１１２、・・、第２発振器１１ｎ）は、ＲＦ信号をｎ系統ごとに、さらに異なる周波数の第２ローカル信号で周波数変換（ダウンコンバート）する周波数変換部群２を構成している。周波数変換部群２は、第２周波数変換部（第２周波数変換部２１、第２周波数変換部２２、・・、第２周波数変換部２ｎ）ごとに異なる周波数の第２ローカル信号でそれぞれ周波数変換（ダウンコンバート）して系統ごとにＩＦ信号として出力する。第２発振器群１１（第２発振器１１１、第２発振器１１２、・・、第２発振器１１ｎ）は発振器ごと、つまり、系統ごとに異なる周波数の第２ローカル信号を発振するものである。第２ミキサ群１０（第２ミキサ１０１、第２ミキサ１０２、・・、第２ミキサ１０ｎ）は、ＲＦ信号と系統ごとに異なる周波数の第２発振器群１１が発振した第２ローカル信号とをミキシングして、ＲＦ信号を周波数変換（ダウンコンバート）する。
【００３２】
図２において、再生部５は、ディジタルＲＦメモリ部（ディジタルＲＦメモリ部４１、ディジタルＲＦメモリ部４２、・・、ディジタルＲＦメモリ部４ｎ）ごとに記録されたＩＦ信号を元にＲＦ信号を再生する際に、使用するＩＦ信号に対応する系統における第２ローカル信号で当該ＩＦ信号を周波数変換（アップコンバート）する。この際、切換部１２は、再生部５（制御部５１）の指示により、第２発振器群１１と接続を切り替えて、周波数変換（アップコンバート）に使用する第２ローカル信号に合う第２発振器群１１（第２発振器１１１、第２発振器１１２、・・、第２発振器１１ｎ）を選択する。第３ミキサ１３は、ディジタルＲＦメモリ部（ディジタルＲＦメモリ部４１、ディジタルＲＦメモリ部４２、・・、ディジタルＲＦメモリ部４ｎ）から送られてきたＩＦ信号と、切換部１２を介して送られてきた第２ローカル信号とをミキシングして、ＩＦ信号を周波数変換（アップコンバート）する。第４ミキサ１４は、第３ミキサ１３から送られてきたＩＦ信号と、第１発振器９から送られてきた第１ローカル信号とをミキシングし、ＩＦ信号をＲＦ信号（再生）に周波数変換（アップコンバート）する。
【００３３】
図２において、変調部６は、ディジタルＲＦメモリ部（ディジタルＲＦメモリ部４１、ディジタルＲＦメモリ部４２、・・、ディジタルＲＦメモリ部４ｎ）、再生部５（制御部５１、第３ミキサ１３、第４ミキサ１４）、第１発振器９、第２発振器群１１、切換部１２を有している。
【００３４】
ここで、図３、図４、図５を用いて、判定回路（判定回路７１、判定回路７２、・・、判定回路７ｎ）を中心とする実施の形態１に係るＲＦ信号記録装置（ＲＦ信号記録再生装置）の動作をさらに詳細に説明する。図中、他の図と同じ符号のものは説明を省略する場合がある。図３において、判定回路７（判定回路７１、判定回路７２、・・、判定回路７ｎ）は、それぞれ、第１比較器群１５（第１比較器１５１、第１比較器１５２、・・、第１比較器１５ｎ）と第２比較器群１６（第２比較器１６１、第２比較器１６２、・・、第２比較器１６ｎ）とを有している。
【００３５】
第１比較器群１５は、バンドパスフィルタ部から来た信号を検波して、その検波信号と、ＩＦ信号の検出用に予め設定されたスレショルドレベルとを比較して、バンドパスフィルタ部から来た信号がスレショルドレベル以上である場合は、ＩＦ信号があると判定して、その信号をディジタルＲＦメモリ部に記録するように指示するものである。なお、スレショルドレベル以下の場合は、信号そのものがないと判断する。信号（ＩＦ信号）の有無の情報やＩＦ信号の記録先のディジタルＲＦメモリ部の情報は、第１比較器群１５（判定部７）から再生部５（制御部５１）に送られる。
【００３６】
第２比較器群１６は、例えば、通過帯域が隣り合うバンドパスフィルタ部３１とバンドパスフィルタ部３２とにおいて、バンドパスフィルタ部３１を通過してきたＩＦ信号ｆ１を検波して検波信号ｆ１を生成し、バンドパスフィルタ部３２を通過してきたＩＦ信号ｆ２を検波して検波信号ｆ２を生成し、検波信号ｆ１と検波信号ｆ２とを比較して、振幅（受信感度）の大きい方がどちらを判定するものである。当然、第１比較器群１５によって、ＩＦ信号ｆ１、及び／又は、ＩＦ信号ｆ２が、スレショルドレベル以下と判定されている場合は、信号そのものがないと判断される。信号（ＩＦ信号）の有無の情報、ＩＦ信号の記録先のディジタルＲＦメモリ部の情報、ＩＦ信号の振幅（受信感度）の大小の情報は、第２比較器群１６から再生部５（制御部５１）に送られる。
【００３７】
判定回路７１の動作として、振幅（受信感度）の小さい方のＩＦ信号をディジタルＲＦメモリ部に記録させない場合は、第２比較器群１６からディジタルＲＦメモリ部へ第１比較器群１５の判定結果、バンドパスフィルタ部から来た信号がスレショルドレベル以上である場合でも、記録しないように指示することになる。この判定回路７１の指示によるディジタルＲＦメモリ部の動作は、記録後に消去をする場合の動作も含むものとする。なお、判定回路７１（第１比較器群１５、第２比較器群１６）のＩＦ信号の有無判定及び検波レベルの比較判定は、論理回路で行うことで、高速処理が可能である。
【００３８】
実施の形態１に係るＲＦ信号記録装置（ＲＦ信号記録再生装置）において、再生部５が、通過帯域の一部が重複する二つのバンドパスフィルタ部の重複している部分の帯域のＩＦ信号がある場合は、いずれか一方のディジタルＲＦメモリ部のＩＦ信号を使用する場合は、ＲＦ信号記録装置（ＲＦ信号記録再生装置）から、第２比較器群１６を廃した構成にするか、第２比較器群１６を機能しないようにすればよい。換言すると、判定部７（判定回路７１、判定回路７２、・・、判定回路７ｎ）は、第１比較器１５１、第１比較器１５２、・・、第１比較器１５ｎそのものといえる。
【００３９】
図４を用いて、第１比較器群１５及び第２比較器群１６の動作の説明をさらに行う。ここでも、ｆ１〜ｆｎは、記録中心周波範囲（ホッピング周波数範囲）を分割した各帯域の中心周波数を意味している。説明を複雑化させないために、入力されるＲＦ信号の周波数が、各帯域の中心周波数である場合を例に説明を行う。図４に示すグラフは、横軸がＲＦ信号の周波数に相当し、縦軸がＲＦ信号の振幅に相当する。ｆｍｉｎは、実施の形態１に係るＲＦ信号記録装置が記録できるＲＦ信号の下限を意味し、ｆｍａｘは、実施の形態１に係るＲＦ信号記録装置が記録できるＲＦ信号の上限を意味している。つまり、ｆｍｉｎとｆｍａｘとで規定される帯域幅が、ＲＦ信号記録装置の記録周波数範囲（ホッピング周波数範囲）である。図４において、ｆ１はディジタルＲＦメモリ部４１の記録中心周波数、ｆ２はディジタルＲＦメモリ部４２の記録中心周波数、ｆ（ｎ−１）はディジタルＲＦメモリ部４（ｎ−１）の記録中心周波数、ｆｎはディジタルＲＦメモリ部４ｎの記録中心周波数を意味している。
【００４０】
図４は、ディジタルＲＦメモリ部の記録帯域（記憶帯域）の帯域幅（バンドパスフィルタ部の通過帯域の帯域幅）が、全て同じ場合を示している。また、前述のとおり、ディジタルＲＦメモリ部の記録帯域は、ＩＦ信号を周波数変換する前の周波数、つまり、ＲＦ信号の周波数に換算した場合の記録帯域を意味している。図４では、ディジタルＲＦメモリ部４１の記録帯域の上限と、とディジタルＲＦメモリ部４２との記録帯域の下限との一部が重複している。重複している帯域幅は、△ｆと図示している。同じく、ディジタルＲＦメモリ部４（ｎ−１）の記録帯域の上限と、とディジタルＲＦメモリ部４ｎとの記録帯域の下限との一部が重複している。重複している帯域幅は、△ｆと図示している。図４では、ＲＦ信号が、ディジタルＲＦメモリ部４（ｎ−１）の記録帯域に存在しており、その他の信号はスレショルドレベル以下のノイズに相当する場合は示している。
【００４１】
つまり、図４を用いて第２比較器群１６の動作を説明すると、第２比較器１６１は、ＩＦ信号ｆ１とＩＦ信号ｆ２の両方の信号があり（信号の有無の判定は、第１比較器１５１と第１比較器１５２とが実施）、かつ、ＩＦ信号ｆ１とＩＦ信号ｆ２の両方の信号が△ｆに入っている場合は、検波後にＩＦ信号ｆ１とＩＦ信号ｆ２とを比較して、振幅（受信感度）の大きい方がどちらを判定するものである。同じく、第２比較器１６ｎは、ＩＦ信号ｆ（ｎ−１）とＩＦ信号ｆｎの両方の信号があり（信号の有無の判定は、第１比較器１５（ｎ−１）と第１比較器１５ｎとが実施）、かつ、ＩＦ信号ｆ（ｎ−１）とＩＦ信号ｆｎの両方の信号が△ｆに入っている場合は、検波後にＩＦ信号ｆ（ｎ−１）とＩＦ信号ｆｎとを比較して、振幅（受信感度）の大きい方がどちらを判定するものである。
【００４２】
図４の例では、ＩＦ信号ｆ１、ＩＦ信号ｆ２、ＩＦ信号ｆｎは、第１比較器群１５の検波では検出されず、ＩＦ信号ｆ（ｎ−１）のみ、第１比較器群１５（第１比較器１５（ｎ−１））により検出されているものを示している。そのため、第２比較器１６１は、動作する必要はない。また、ＩＦ信号ｆ（ｎ−１）もΔｆの範囲には入っていないので、第２比較器１６ｎも動作する必要はない。仮に、ＩＦ信号ｆ（ｎ−１）のみだけが記録部４に記録されている場合は、再生部５はディジタルＲＦメモリ部４（ｎ−１）に記録されているＩＦ信号ｆ（ｎ−１）を用いて、ＲＦ信号を復元して再生すればよい。
【００４３】
図５を用いて、判定部７の判定に関する説明を行う。図５において、条件として五つのものをテーブルとして挙げている。記録中心周波数「ｆｉ」と「ｆｉ−１」とは、前述の記録中心周波数ｆ１〜ｆｎのうち、記録帯域（通過帯域）が隣り合う任意のディジタルＲＦメモリ部（バンドパスフィルタ部）の記録中心周波数（通過中心周波数）を意味している。「信号有無判定」は、第１比較部によってＩＦ信号が検出されたかどうかを示している。「ＤＲＦＭｉ」は、記録中心周波数「ｆｉ」に対応するディジタルＲＦメモリ部を意味している。「ＤＲＦＭｉ−１」は、記録中心周波数「ｆｉ−１」に対応するディジタルＲＦメモリ部を意味している。「ＤＲＦＭｉ−１、ＤＲＦＭｉ選択」は、△ｆ内のＩＦ信号のうち、どちらを選択すればよいかを意味している。すわなち、どちらの方が振幅（受信感度）の方が大きいかを意味している。「記録ＤＲＦＭ」は、ＩＦ信号が記録されているディジタルＲＦメモリ部を意味している。「再生ＤＲＦＭ選択結果」は、再生部５がＲＦ信号を再生する際に、使用するディジタルＲＦメモリ部がどれであるかを意味している。
【００４４】
図５に記載の条件１は、判定回路７１によって、記録中心周波数「ｆｉ」と「ｆｉ−１」とに対応する二つのディジタルＲＦメモリ部の両方に記録するべきＩＦ信号がない場合を示している。そのため、再生部５はＲＦ信号を再生する際に、再生するＩＦ信号がないことになる。
【００４５】
図５に記載の条件２は、判定回路７１によって、記録中心周波数「ｆｉ」に対応するディジタルＲＦメモリ部にＩＦ信号が記録されている状態を示している。また、記録中心周波数「ｆｉ−１」に対応するディジタルＲＦメモリ部に記録するべきＩＦ信号がない場合を示している。そのため、再生部５はＲＦ信号を再生する際に、記録中心周波数「ｆｉ」に対応するディジタルＲＦメモリ部に記録されたＩＦ信号を再生することになる。
【００４６】
図５に記載の条件３及び条件４は、判定回路７１によって、記録中心周波数「ｆｉ」に対応するディジタルＲＦメモリ部にＩＦ信号が記録されている状態を示している。また、記録中心周波数「ｆｉ−１」に対応するディジタルＲＦメモリ部にＩＦ信号が記録されている状態を示している。
【００４７】
図５に記載の条件３は、さらに、判定回路７１によって、記録中心周波数「ｆｉ」に対応するディジタルＲＦメモリ部に記録されているＩＦ信号と、記録中心周波数「ｆｉ−１」に対応するディジタルＲＦメモリ部に記録されているＩＦ信号との振幅の大小が判断されている。記録中心周波数「ｆｉ−１」に対応するディジタルＲＦメモリ部に記録されているＩＦ信号の振幅の方が大きい。そのため、再生部５はＲＦ信号を再生する際に、記録中心周波数「ｆｉ−１」に対応するディジタルＲＦメモリ部に記録されたＩＦ信号を再生することになる。
【００４８】
図５に記載の条件４は、さらに、判定回路７１によって、記録中心周波数「ｆｉ」に対応するディジタルＲＦメモリ部に記録されているＩＦ信号と、記録中心周波数「ｆｉ−１」に対応するディジタルＲＦメモリ部に記録されているＩＦ信号との振幅の大小が判断されている。記録中心周波数「ｆｉ」に対応するディジタルＲＦメモリ部に記録されているＩＦ信号の振幅の方が大きい。そのため、再生部５はＲＦ信号を再生する際に、記録中心周波数「ｆｉ」に対応するディジタルＲＦメモリ部に記録されたＩＦ信号を再生することになる。
【００４９】
図５に記載の条件５は、判定回路７１によって、記録中心周波数「ｆｉ」に対応するディジタルＲＦメモリ部に記録するべきＩＦ信号がない場合を示している。また、記録中心周波数「ｆｉ−１」に対応するディジタルＲＦメモリ部にＩＦ信号が記録されている状態を示している。そのため、再生部５はＲＦ信号を再生する際に、記録中心周波数「ｆｉ−１」に対応するディジタルＲＦメモリ部に記録されたＩＦ信号を再生することになる。
【００５０】
これまでは、実施の形態１に係るＲＦ信号記録装置及びＲＦ信号記録再生装置の説明として、図１から図５を用いて第１例で説明してきた。第１例は、周波数変換部群２が、第１ローカル信号で周波数変換されたＲＦ信号が少なくとも二系統に分配され、分配された系統ごとに異なる周波数の第２ローカル信号でそれぞれ周波数変換して系統ごとにＩＦ信号として出力する第２周波数変換部２１〜２ｎを有している場合である。また、再生部５が、使用するＩＦ信号に対応する系統における第２ローカル信号で当該ＩＦ信号を周波数変換し、さらに、第１ローカル信号で周波数変換して、ＲＦ信号を再生する場合であった。
【００５１】
以降で説明する実施の形態１に係るＲＦ信号記録装置及びＲＦ信号記録再生装置の説明は、第２例である。第２例は、例えば、ＲＦ信号記録装置及びＲＦ信号記録再生装置が、受信したレーダ信号を記録（記憶）する対象としている場合、レーダ信号（ＲＦ信号）をＩＦ信号に周波数変換時に、分配部１により分配して系統ごとに異なる周波数の第１ローカル信号の周波数で周波数変換（ダウンコンバート）し、さらに系統ごとに第２ローカル信号の周波数で周波数変換（ダウンコンバート）することで、記録周波数（記憶周波数）範囲内の全ての信号を同時に記録（記憶）可能な構成となるといえる。
【００５２】
実施の形態１に係るＲＦ信号記録装置及びＲＦ信号記録再生装置の説明として、図６及び図７を用いて第２例で説明する。図６及び図７は、それぞれ第１例の図１及び図２に対応するものである。図中、他の図と同じ符号のものは説明を省略する場合がある。図３、図４、図５は、第１例及び第２例で共通である。また、第１例と第２例との主な違いは、周波数変換部群２及び再生部５並びに変調部６の構成であるため、周波数変換部群２及び再生部５並びに変調部６を中心に説明を行い、同じ構成の説明は省略する場合がある。
【００５３】
図６において、周波数部群２は、第１周波数変換部（第１周波数変換部８９１、第１周波数変換部８９２、・・、第１周波数変換部８９ｎ）と、第２周波数変換部（第２周波数変換部２１、第２周波数変換部２２、・・、第２周波数変換部２ｎ）とをｎ個ずつ有するものである（ｎは２以上の整数）。第１周波数変換部（第１周波数変換部８９１、第１周波数変換部８９２、・・、第１周波数変換部８９ｎ）は、分配部１によって、少なくとも二系統に分配されたＲＦ信号を系統ごとに異なる周波数の第１ローカル信号で周波数変換するものである。第２周波数変換部（第２周波数変換部２１、第２周波数変換部２２、・・、第２周波数変換部２ｎ）は、第１周波数変換部での周波数変換の後に、さらに系統ごとに第２ローカル信号で周波数変換して系統ごとにＩＦ信号として出力するものである。
【００５４】
図７に示すＲＦ信号記録再生装置（ＲＦ信号記録装置）は、後述する第１ミキサ群８に分配部１を介してＲＦ信号が入力される構成となっている。ＲＦ信号記録再生装置（ＲＦ信号記録装置）は、分配部１の前段に、第１例と同様に、レーダ波や通信波などの電波を受信して増幅する受信空中線部を備えてもよい。また、図７に示すＲＦ信号記録再生装置は、第１例と同様に、再生部５の後段に、記録して再生したＲＦ信号を増幅して空間に送出する送信空中線部を備えていてもよい。
【００５５】
図７において、第１周波数変換部（第１周波数変換部８９１、第１周波数変換部８９２、・・、第１周波数変換部８９ｎ）は、第１ミキサ群８及び第１発振器群９を有する。第１ミキサ群８（第１ミキサ８１、第１ミキサ８２、・・、第２ミキサ８ｎ）及び第１発振器群９（第１発振器９１、第２発振器９２、・・、第１発振器９ｎ）は、ＲＦ信号をｎ系統ごとに、異なる周波数の第１ローカル信号で周波数変換（ダウンコンバート）するものである。また、第２周波数変換部（第２周波数変換部２１、第２周波数変換部２２、・・、第２周波数変換部２ｎ）は、第２ミキサ群１０及び第２発振器１１を有する。第２ミキサ群１０（第２ミキサ１０１、第２ミキサ１０２、・・、第２ミキサ８ｎ）及び第２発振器１１は、ＲＦ信号をｎ系統ごとに、さらに第２ローカル信号で周波数変換（ダウンコンバート）するものである。
【００５６】
図７において、第１発振器群９（第１発振器９１、第１発振器９２、・・、第１発振器９ｎ）は発振器ごと、つまり、系統ごとに異なる周波数の第１ローカル信号を発振するものである。第１ミキサ群８（第１ミキサ８１、第１ミキサ８２、・・、第１ミキサ８ｎ）は、ＲＦ信号と系統ごとに異なる周波数の第１発振器群９が発振した第１ローカル信号とをミキシングして、ＲＦ信号を周波数変換（ダウンコンバート）する。第２ミキサ群１０（第２ミキサ１０１、第２ミキサ１０２、・・、第２ミキサ８ｎ）は、ＲＦ信号と第２発振器１１が発振した第２ローカル信号とをミキシングして、ＲＦ信号をさらに周波数変換（ダウンコンバート）する。そして、周波数変換部群２は、系統ごとにＩＦ信号として出力する。このように出力される帯域を設定されたＩＦ信号は、記録中心周波数（記憶中心周波数）ｆ１〜ｆｎ（ｎは２以上の整数）の系統ごとに帯域幅が狭帯域のバンドパスフィルタ部群３（バンドパスフィルタ部３１、バンドパスフィルタ部３２、・・、バンドパスフィルタ部３ｎ）へ送られる。
【００５７】
図７において、再生部５は、ディジタルＲＦメモリ部（ディジタルＲＦメモリ部４１、ディジタルＲＦメモリ部４２、・・、ディジタルＲＦメモリ部４ｎ）ごとに記録されたＩＦ信号を元にＲＦ信号を再生する際に、使用するＩＦ信号を第２ローカル信号で周波数変換（アップコンバート）する。この際、第３ミキサ１３は、ディジタルＲＦメモリ部（ディジタルＲＦメモリ部４１、ディジタルＲＦメモリ部４２、・・、ディジタルＲＦメモリ部４ｎ）から送られてきたＩＦ信号と、第２発振器１１から送られてきた第２ローカル信号とをミキシングして、ＩＦ信号を周波数変換（アップコンバート）する。さらに、使用するＩＦ信号に対応する系統における第１ローカル信号で当該ＩＦ信号を周波数変換（アップコンバート）する。この際、切換部１２は、再生部５（制御部５１）の指示により、第１発振器群９と接続を切り替えて、周波数変換（アップコンバート）に使用する第１ローカル信号に合う第１発振器群９（第１発振器９１、第１発振器９２、・・、第１発振器９ｎ）を選択する。第４ミキサ１４は、第３ミキサ１３から送られてきたＩＦ信号と、切換部１２を介して送られてきた第１ローカル信号とをミキシングし、ＩＦ信号をＲＦ信号（再生）に周波数変換（アップコンバート）する。
【００５８】
図７において、変調部６は、ディジタルＲＦメモリ部（ディジタルＲＦメモリ部４１、ディジタルＲＦメモリ部４２、・・、ディジタルＲＦメモリ部４ｎ）、再生部５（制御部５１、第３ミキサ１３、第４ミキサ１４）、第１発振器群９（第１発振器９１、第１発振器９２、・・、第１発振器９ｎ）、第２発振器１１、切換部１２を有している。
【００５９】
このように、第１例及び第２例から明らかとおり、実施の形態１に係るＲＦ信号記録装置及びＲＦ信号記録再生装置は、周波数変換部群２が、ＲＦ信号が少なくとも二系統に分配され、分配された系統ごとに異なるローカル信号による周波数変換（ダウンコンバート）されたＩＦ信号として系統ごとに出力するものでよい。周波数変換部群２は、分配部１を含めてもよい。また、第１例においては、周波数変換部群２は、分配部１に加えて、第１周波数変換部（第１ミキサ８及び第１発振器９）を含めてもよい。
【００６０】
また、第１例及び第２例から明らかとおり、実施の形態１に係るＲＦ信号記録装置及びＲＦ信号記録再生装置は、再生部５が、ディジタルＲＦメモリ部（ディジタルＲＦメモリ部４１、ディジタルＲＦメモリ部４２、・・、ディジタルＲＦメモリ部４ｎ）ごとに記録されたＩＦ信号を元にＲＦ信号を再生するものである。また、再生部５は、ディジタルＲＦメモリ部（ディジタルＲＦメモリ部４１、ディジタルＲＦメモリ部４２、・・、ディジタルＲＦメモリ部４ｎ）ごと（系統ごと）に異なるローカル信号によってＩＦ信号を周波数変換（アップコンバート）することで、ＲＦ信号を再生するものであるといえる。
【００６１】
次に図８を用いて、周波数変換部群２が、系統ごとに同じ帯域のＩＦ信号の周波数を出力させる場合に設定される第１ローカル信号及び第２ローカル信号の周波数の例を説明する。図８は、例として記録周波数範囲を３．００ＧＨｚ〜６．３０ＧＨｚとしている。図８（ａ）は、ＲＦ信号記録装置（ＲＦ信号記録再生装置）におけるローカル信号（第１ローカル信号及び第２ローカル信号）のテーブルの例（第１例）である。図８（ｂ）は、ＲＦ信号記録装置（ＲＦ信号記録再生装置）におけるローカル信号（第１ローカル信号及び第２ローカル信号）のテーブルの例（第２例）である。
【００６２】
図８（ａ）は、第１例に適用できる値を示している。具体的には、第１ローカル周波数は一つの値で、第２ローカル周波数は系統の数だけ値がある場合である。図８（ｂ）は、第２例に適用できる値を示している。具体的には、第１ローカル周波数は系統の数だけ値があり、第２ローカル周波数は一つの値である場合である。
【００６３】
図８（ａ）において、テーブルの行のｆ１からｆ８は、記録周波数範囲（３．００ＧＨｚ〜６．３０ＧＨｚ）を八つの帯域（同じ帯域幅）に分割したもの意味している。換言すると、ｎ＝８の場合といえる。テーブルの列の「下限」と「上限」は、分割した帯域の下限と上限とを意味している。列の「中心」は、分割した各帯域の中心周波数を意味している。図８（ａ）及び図８（ｂ）を用いた説明を複雑化させないために、ここでも、入力されるＲＦ信号の周波数が、各帯域の中心周波数である場合を例に説明を行う。
【００６４】
図８（ａ）において、テーブルの列の「第１ローカル周波数」は、第１発振器９が発振する第１ローカル周波数を意味しており、ｆ１〜ｆ８において同じ周波数である。テーブルの列の「ＩＦ信号中心周波数１」は、「第１ローカル周波数」により周波数変換されたＲＦ信号の変換後の周波数を意味している。テーブルの列の「第２ローカル周波数」は、第２発振器１１１〜１１８がそれぞれ発振する第２ローカル周波数を意味しており、ｆ１〜ｆ８においてそれぞれ異なる周波数である。テーブルの列の「ＩＦ信号中心周波数２」は、「第２ローカル周波数」によりそれぞれ周波数変換されたＲ「ＩＦ信号中心周波数１」の変換後の周波数を意味している。この「ＩＦ信号中心周波数２」がディジタルＲＦメモリ部に記録されるＩＦ信号である。よって、八系統ごとに同じ帯域のＩＦ信号の周波数を出力させる場合であり、入力されるＲＦ信号が、八つの帯域のそれぞれ中心周波数であると仮定していることから、図８（ａ）の「ＩＦ信号中心周波数２」は、全て０．５５ＧＨｚとなる。
【００６５】
図８（ｂ）に関しては、テーブルの行は図８（ａ）と共通である。テーブルの列に関しては、図８（ａ）との意味が異なる箇所だけを説明する。テーブルの列の「第１ローカル周波数」は、第１発振器９１〜９８がそれぞれ発振する第１ローカル周波数を意味しており、ｆ１〜ｆ８においてそれぞれ異なる周波数である。テーブルの列の「ＩＦ信号中心周波数１」は、「第１ローカル周波数」によりそれぞれ周波数変換されたＲＦ信号の変換後の周波数を意味している。テーブルの列の「第２ローカル周波数」は、第２発振器１１が発振する第２ローカル周波数を意味しており、ｆ１〜ｆ８において同じ周波数である。テーブルの列の「ＩＦ信号中心周波数２」は、「第２ローカル周波数」により周波数変換された「ＩＦ信号中心周波数１」の変換後の周波数を意味している。図８（ａ）と同様の理由で図８（ｂ）の「ＩＦ信号中心周波数２」も、全て０．５５ＧＨｚとなる。
【００６６】
図８（ａ）のテーブルを用いることで、第１ローカル周波数が各系統で固定であっても、第２ローカル周波数を、記録周波数範囲の分割された八つの帯域に合わせて、各系統で変えることで、周波数変換されたＩＦ信号の周波数の帯域を調整することができることが分かる。同じく、図８（ｂ）のテーブルを用いることで、第２ローカル周波数が各系統で固定であっても、第１ローカル周波数を、記録周波数範囲の分割された八つの帯域に合わせて、各系統で変えることで、周波数変換されたＩＦ信号の周波数の帯域を調整することができることが分かる。つまり、記録周波数範囲の分割された帯域に合わせて、第１ローカル周波数と第２ローカル周波数との周波数の組み合せを設定することで、周波数変換されたＩＦ信号の周波数の帯域を調整することができる。換言すると、第１ローカル周波数又は第２ローカル周波数の何れか一方を固定値にしなくてもよいといえる。
【００６７】
つまり、実施の形態１に係るＲＦ信号記録装置及びＲＦ信号記録再生装置は、記録周波数範囲の帯域の分割数、及び、分割された各帯域の帯域幅と、バンドパスフィルタ部３１〜３ｎの通過帯域（ディジタルＲＦメモリ部４１〜４ｎの記録帯域）とが設定されることで、周波数変換に使用するローカル周波数（第１ローカル周波数・第２ローカル周波数）を決めることができる。逆に、記録周波数範囲の帯域の分割数、及び、分割された各帯域の帯域幅と、周波数変換に使用するローカル周波数（第１ローカル周波数・第２ローカル周波数）とを調整すれば、バンドパスフィルタ部３１〜３ｎの通過帯域（ディジタルＲＦメモリ部４１〜４ｎの記録帯域）は、同じものでなくてもよい。また、実施の形態１に係るＲＦ信号記録装置（ＲＦ信号記録再生装置）は、再生するＲＦ信号の元になるＩＦ信号をディジタルＲＦメモリ部ごとに選択させる（選択する）ことができる。これは、ＩＦ信号を周波数変換する前の周波数に換算した場合の通過帯域（バンドパスフィルタ部３１〜３ｎ）であって、隣り合う通過帯域がＲＦ信号の最大変調幅以上の帯域分重複した複数のバンドパスフィルタ部で濾波され、バンドパスフィルタ部３１〜３ｎごとに設けられたディジタルＲＦメモリ部４１〜４ｎにそれぞれ記録させることで実現できる。
【００６８】
実施の形態１に係るＲＦ信号記録再生装置では、ＩＦ信号の検波信号をスレッショルドと比較して信号の有無を検出し、隣り合う系統のＩＦ信号の検波信号同士の検波レベルを比較することによって、最も受信レベル（受信感度、振幅）の高い系統で記録されたディジタルＲＦメモリ部を再生部５が選択することが可能となる。二つのディジタルＲＦメモリ部の記録帯域を一系統として処理するために一部だけ重複させて、一系統で記録周波数範囲をカバーする場合と比較して、実施の形態１に係るＲＦ信号記録再生装置は、選択した一つのディジタルＲＦメモリ部のみを再生できるので、送信空中線部を用いて、再生したＲＦ信号を空間に送出する際、送信ノイズレベルを低減できる。また、実施の形態１に係るＲＦ信号記録再生装置は、複数のディジタルＲＦメモリ部を使用しているので、送信帯域の狭帯域化が実現できる。さらに、実施の形態１に係るＲＦ信号記録再生装置は、複数の系統でディジタルＲＦメモリ部ごとに記録されたＩＦ信号の再生が、常に１系統であるため、複数のディジタルＲＦメモリ部に記録されたＩＦ信号の合成によるスプリアスなどの発生がなく、忠実性の高い再生が可能である。
【００６９】
実施の形態１に係るＲＦ信号記録装置及びＲＦ信号記録再生装置は、例えば、数ＧＨｚの広帯域である記録周波数範囲を狭帯域のディジタルＲＦメモリ部４１〜ディジタルＲＦメモリ部４ｎに分割記録することによって、受信感度を高感度化ができる。また、実施の形態１に係るＲＦ信号記録再生装置は、ｎ個のディジタルＲＦメモリ部の中からＲＦ信号を記録したディジタルＲＦメモリ部を判定して、判定したディジタルＲＦメモリ部のデータのみを選択して再生することが可能であるため、受信瞬時広帯域・送信帯域選択型ディジタルＲＦメモリ装置といえる。受信瞬時広帯域・送信帯域選択型であるために、再生波形の忠実性の向上及び送信ノイズレベルの低減が可能である。なお、再生するディジタルＲＦメモリ部の選択を論理回路で行えば、ＲＦ信号（レーダ信号）のパルスごとに高速に記録・再生させることができる。つまり、実施の形態１に係るＲＦ信号記録装置及びＲＦ信号記録再生装置は、広帯域かつ高感度を両立したものである。
【００７０】
このように、実施の形態１に係るＲＦ信号記録装置（ＲＦ信号記録再生装置）は、広帯域かつ高感度を両立することが容易であるため、周波数ホッピング方式を用いたレーダ装置から送出されるＲＦ信号のホッピング周波数範囲がより広くなった場合でも記録することができる。また、実施の形態１に係るＲＦ信号記録装置（ＲＦ信号記録再生装置）は、複数のバンドパスフィルタ部３１〜３ｎの通過帯域を、周波数ホッピング方式を用いたレーダ装置から送出されるＲＦ信号の最大変調幅以上の帯域分重複させることで、ＩＦ信号をディジタルＲＦメモリ部ごとに記録することができる。よって、また、実施の形態１に係るＲＦ信号記録再生装置が、周波数ホッピング方式を用いたレーダ装置から送出されるＲＦ信号を再生する場合は、順次、周波数が変わって到来し、ディジタルＲＦメモリ部ごとに記録したＩＦ信号をＲＦ信号として、記録時と同じ時間軸で再生することで、レーダ装置の性能を模擬することができる。また、実施の形態１に係るＲＦ信号記録再生装置は、順次、周波数が変わって到来し、ディジタルＲＦメモリ部ごとに記録したＩＦ信号をＲＦ信号として同時に再生することで、レーダ装置が使用する全ての周波数を送出することができる。
【００７１】
実施の形態１．（方法）
以下、この発明の実施の形態１に係るＲＦ信号記録方法及びＲＦ信号記録再生方法について、図９、図１０、図１１を用いて説明する。図中、他の図と同じ符号のものは説明を省略する場合がある。図９、図１０、図１１において、矢印は処理を意味している。破線矢印は、データ（ＩＦ信号）の流れを意味している。なお、実施の形態１に係るＲＦ信号記録方法及びＲＦ信号記録再生方法と、実施の形態１に係るＲＦ信号記録装置及びＲＦ信号記録再生装置との関係は、ＲＦ信号記録方法、信号記録再生方法を装置で実現するためのものが、ＲＦ信号記録装置、ＲＦ信号記録再生装置である。また、実施の形態１に係るＲＦ信号記録方法及びＲＦ信号記録再生方法の説明は、第１例である図１及び図２に示すＲＦ信号記録再生装置（ＲＦ信号記録装置）が、前述の受信空中線部及び送信空中線部を備えている場合を例にして行う。換言すると、実施の形態１に係るＲＦ信号記録再生方法は、レーダ波や通信波などの電波を受信して記録し、記録した電波（ＲＦ信号）を再生して送信する電波応用方法やレーダエコー生成方法ともいえる。
【００７２】
まず、図９を用いて、実施の形態１に係るＲＦ信号記録方法（実施の形態１に係るＲＦ信号記録再生方法の記録方法部分にも相当する）の構成を説明する。ＳＴＥＰ１で受信空中線部がレーダ波や通信波などの電波を受信する。受信された電波は、ＲＦ信号として第１周波数変換部（第１ミキサ８）に送られて、ＳＴＥＰ２で周波数変換（ダウンコンバート）される。第１周波数変換部で周波数変換されたＲＦ信号は、分配部１によってｎ系統に分配され、それぞれ周波数変換部群（第２周波数変換部２１〜２ｎ）に送られて、ＳＴＥＰ３で周波数変換（ダウンコンバート）された信号としてバンドパスフィルタ部群３を経て記録部４へ送られる。バンドパスフィルタ部群３（バンドパスフィルタ部３１〜３ｎ）は、隣り合う通過帯域がＲＦ信号の最大変調幅以上の帯域分重複している。
【００７３】
記録部４では、系統ごとに判定部７によるＳＴＥＰ３１、ＳＴＥＰ３２、・・、ＳＴＥＰ３ｎが実行される（ｎは２以上の整数）。これらのステップは、図９に示すように、詳細ステップが基本的に同じであるため、ＳＴＥＰ３ｎを任意のものとして説明を進める。ＳＴＥＰ３ｎは、詳細ステップであるＳＴＥＰ４ｎ、ＳＴＥＰ５ｎ、ＳＴＥＰ６ｎで構成されている。記録部４に送られた信号は、判定回路７２にて検波される（ＳＴＥＰ４ｎ）。判定回路７２では、さらに、検波された検波信号と予め設定されているスレショルドレベルと比較して信号の有無を判定する（ＳＴＥＰ５ｎ）。信号（ＩＦ信号）がある場合は、ディジタルＲＦメモリ部４ｎに記録（記憶）する（ＳＴＥＰ６ｎ）。信号がない場合はＳＴＥＰ４１に戻る。
【００７４】
ＳＴＥＰ１は受信ステップに相当する。ＳＴＥＰ２、ＳＴＥＰ３及びＳＴＥＰ３１〜３ｎは、記録ステップ（第１記録ステップ）に相当する。記録ステップ（第１記録ステップ）は、第１ローカル信号で周波数変換されたＲＦ信号（ＳＴＥＰ２）が少なくとも二系統に分配され、分配された系統ごとに異なる第２ローカル信号でそれぞれ周波数変換して系統ごとに出力されたＩＦ信号が、隣り合う通過帯域がＲＦ信号の最大変調幅以上の帯域分重複した複数のバンドパスフィルタ部３１〜３ｎで濾波され（ＳＴＥＰ３）、通過帯域ごとに設けられたディジタルＲＦメモリ部にそれぞれ記録させる（ＳＴＥＰ３１〜３ｎ）ものといえる。
【００７５】
図１０及び図１１を用いて、実施の形態１に係るＲＦ信号記録再生方法（厳密には、実施の形態１に係るＲＦ信号記録再生方法の再生方法部分に相当する）の構成を説明する。図１０及び図１１において、図４及び図５と同様に、記録中心周波数「ｆｉ」と「ｆｉ−１」とは、記録中心周波数ｆ１〜ｆｎのうち、記録帯域（通過帯域）が隣り合う任意のディジタルＲＦメモリ部（バンドパスフィルタ部）の記録中心周波数（通過中心周波数）を意味している。図１０に示すＳＴＥＰは、第２比較器群１６から再生部５（制御部５１）に送られる、ＩＦ信号の振幅（受信感度）の大小の情報を用いて、再生するＩＦ信号が記録されたディジタルＲＦメモリ部を選択するＲＦ信号記録再生方法に関するものである。一方、図１１に示すＳＴＥＰは、前述の大小の情報を用いず、または前述の大小の情報を直接用いずに、再生するＩＦ信号が記録されたディジタルＲＦメモリ部を選択するＲＦ信号記録再生方法に関するものである。
【００７６】
図１０を用いて、実施の形態１に係るＲＦ信号記録再生方法（厳密には、実施の形態１に係るＲＦ信号記録再生方法の再生方法部分に相当する）の構成を説明する。図１０において、ＳＴＥＰ７で、前述のＳＴＥＰ３ｎで記録されたもののうち、同じＩＦ信号が記録されたディジタルＲＦメモリ部があるかどうかを判定する。つまり、同じ信号が検出されたディジタルＲＦメモリ部が１系統なのか２系統なのかを判断する。詳しくは、隣り合う通過帯域がＲＦ信号の最大変調幅以上の帯域分重複した複数のバンドパスフィルタ部３１〜３ｎの重複している部分の帯域のＩＦ信号があるかどうかを判定する。判定の結果、ある場合（２系統の場合）は、ＳＴＥＰ４０１に進む。判定の結果、ない場合（１系統の場合）は、ＳＴＥＰ８に進む。ＳＴＥＰ４０１は、図５に記載の条件３及び条件４の処理に相当する。ＳＴＥＰ８は、図５に記載の条件１、条件２、条件５の処理に相当する。
【００７７】
ＳＴＥＰ４０１では、判定回路７１によって、記録中心周波数「ｆｉ」に対応するディジタルＲＦメモリ部と、記録中心周波数「ｆｉ−１」に対応するディジタルＲＦメモリ部との両方にＩＦ信号が記録されている状態で、互いの受信レベルを判定する。判定回路７１によって、記録中心周波数「ｆｉ」に対応するディジタルＲＦメモリ部に記録されているＩＦ信号と、記録中心周波数「ｆｉ−１」に対応するディジタルＲＦメモリ部に記録されているＩＦ信号との振幅の大小が判断されて判定部７に記録されているので、この大小情報を用いる。記録中心周波数「ｆｉ」よりも、記録中心周波数「ｆｉ−１」に対応するディジタルＲＦメモリ部に記録されているＩＦ信号の振幅の方が大きい場合は、ＳＴＥＰ４０２に進み、記録部５が記録中心周波数「ｆｉ−１」に対応するディジタルＲＦメモリ部から、ＩＦ信号を取り出す。記録中心周波数「ｆｉ−１」よりも、記録中心周波数「ｆｉ」に対応するディジタルＲＦメモリ部に記録されているＩＦ信号の振幅の方が大きい場合は、ＳＴＥＰ４０３に進み、記録部５が記録中心周波数「ｆｉ」に対応するディジタルＲＦメモリ部から、ＩＦ信号を取り出す。ＳＴＥＰ４０２及びＳＴＥＰ４０３の後、ＳＴＥＰ９へ進む。
【００７８】
ディジタルＲＦメモリ部に記録されているＩＦ信号の振幅の大小が判断して判定部７に記録する動作は、記録ステップ（第２記録ステップ）といえる。記録ステップ（第２記録ステップ）は、隣り合う通過帯域がＲＦ信号の最大変調幅以上の帯域分重複した複数のバンドパスフィルタ部（バンドパスフィルタ部３１、バンドパスフィルタ部３２、・・、バンドパスフィルタ部３ｎ）の重複している部分の帯域のＩＦ信号である場合は、それぞれの振幅の値を比較した結果を記録するステップである。記録ステップ（第２記録ステップ）は、実施の形態１に係るＲＦ信号記録方法の記録ステップ（第１記録ステップ）において追加で実施してもよいし、実施の形態１に係るＲＦ信号記録再生方法で実施してもよい。
【００７９】
ＳＴＥＰ８では、判定回路７１によって、記録中心周波数「ｆｉ」と「ｆｉ−１」とに対応する二つのディジタルＲＦメモリ部の両方に記録するべきＩＦ信号がないと判断されている場合（条件１）か、記録中心周波数「ｆｉ」と「ｆｉ−１」とに対応する二つのディジタルＲＦメモリ部のいずれか一方にＩＦ信号が記録されていると判断されている場合（条件３又は条件５）である。そのため、ＲＦ信号を再生する際に、再生するＩＦ信号がない場合は、再生部５はディジタルＲＦメモリ部から、ＩＦ信号を取り出す動作は実施しない。これは、図１０には図示していない動作である。そのため、ＳＴＥＰ８及びＳＴＥＰ４０１とは違う動作として処理するフローとしてもよい。ＳＴＥＰ８において、記録中心周波数「ｆｉ」と「ｆｉ−１」とに対応する二つのディジタルＲＦメモリ部のいずれか一方にＩＦ信号が記録されていると判断されている場合は、記録部５が、記録がある方のディジタルＲＦメモリ部から、ＩＦ信号を取り出す。ＳＴＥＰ８の後、ＳＴＥＰ９へ進む。
【００８０】
ＳＴＥＰ９では、再生部５は、ディジタルＲＦメモリ部（ディジタルＲＦメモリ部４１、ディジタルＲＦメモリ部４２、・・、ディジタルＲＦメモリ部４ｎ）ごとに記録（記憶）されたＩＦ信号を元にＲＦ信号を再生する際に、使用するＩＦ信号に対応する系統における第２ローカル信号を切換部１２が切り換えて、第３ミキサ１３に送り、当該ＩＦ信号を周波数変換（アップコンバート）する。詳しく説明すると、周波数変換（アップコンバート）は、ＳＴＥＰ１０にて、第３ミキサ１３から送られてきて、第４ミキサ１４にて、第１発振器９から送られてきた第１ローカル信号をミキシングし、ＩＦ信号をＲＦ信号（再生）に周波数変換（アップコンバート）される。このＲＦ信号は送信空中線部に送られ、ＳＴＥＰ１１で空間に送出される。
【００８１】
ＳＴＥＰ７、ＳＴＥＰ８、ＳＴＥＰ４０１、ＳＴＥＰ４０２、ＳＴＥＰ４０３は再生ステップに相当する。再生ステップは、隣り合う通過帯域が前記ＲＦ信号の最大変調幅以上の帯域分重複した複数のバンドパスフィルタ部の重複している部分の帯域のＩＦ信号の有無を判断し（ＳＴＥＰ７）、ある場合は、振幅が大きい方を使用する（ＳＴＥＰ４０２、ＳＴＥＰ４０３）。また、再生ステップは、記録ステップ（ＳＴＥＰ２、ＳＴＥＰ３及びＳＴＥＰ３１〜３ｎ）でディジタルＲＦメモリ部にそれぞれ記録されたＩＦ信号を使用してＲＦ信号を再生するものである（ＳＴＥＰ８）。
【００８２】
再生ステップは、ＳＴＥＰ９、ＳＴＥＰ１０（ＳＴＥＰ１１）を含めて、使用するＩＦ信号に対応する系統における第２ローカル信号で当該ＩＦ信号を周波数変換し、さらに、第１ローカル信号で周波数変換して、ＲＦ信号を再生するステップを含むものとしてもよい。ＳＴＥＰ１１は、送信空中線部を使用するかどうかで再生ステップに含めるかどうかを判断すればよい。ＳＴＥＰ１１は送信ステップに相当するといえる。
【００８３】
図１１を用いて、実施の形態１に係るＲＦ信号記録再生方法（厳密には、実施の形態１に係るＲＦ信号記録再生方法の再生方法部分に相当する）の構成を説明する。図１１に記載のフローは、図１０に記載のフローからＳＴＥＰ７、ＳＴＥＰ４０１、ＳＴＥＰ４０２、ＳＴＥＰ４０３を廃したものである。そのため、ＳＴＥＰ８、ＳＴＥＰ９、ＳＴＥＰ１０、ＳＴＥＰ１１は、共通であるため説明は省略する。但し、図１０におけるＳＴＥＰ７にて、同じＩＦ信号が記録されたディジタルＲＦメモリ部があるかどうかを判定していたが、図１１に記載のフローにおいて、再生時の忠実性よりも構成の簡素性を重視する場合は、図１１におけるＳＴＥＰ８にて、再生部５が、通過帯域の一部が重複する二つのバンドパスフィルタ部の重複している部分の帯域のＩＦ信号がある場合は、いずれか一方のディジタルＲＦメモリ部のＩＦ信号を使用すればよい。このようなＳＴＥＰ８におけるランダムな判断をさせて、再生時の忠実性と構成の簡素性とを両方を実現する方法を記録ステップ（第２記録ステップ）として、次に説明する。この記録ステップ（第２記録ステップ）はＳＴＥＰ７とは異なる。
【００８４】
記録ステップ（第２記録ステップ）は、隣り合う通過帯域がＲＦ信号の最大変調幅以上の帯域分重複した複数のバンドパスフィルタ部（バンドパスフィルタ部３１、バンドパスフィルタ部３２、・・、バンドパスフィルタ部３ｎ）の重複している部分の帯域のＩＦ信号である場合は、振幅が大きい方のみをディジタルＲＦメモリ部（ディジタルＲＦメモリ部４１、ディジタルＲＦメモリ部４２、・・、ディジタルＲＦメモリ部４ｎ）に記録させるステップである。この記録ステップ（第２記録ステップ）は、ＳＴＥＰ７と同様に、実施の形態１に係るＲＦ信号記録方法の記録ステップ（第１記録ステップ）において追加で実施してもよいし、実施の形態１に係るＲＦ信号記録再生方法で実施してもよい。
【００８５】
よって、実施の形態１に係るＲＦ信号記録方法は、第１ローカル信号で周波数変換されたＲＦ信号が少なくとも二系統に分配され、分配された系統ごとに異なる第２ローカル信号でそれぞれ周波数変換して系統ごとに出力されたＩＦ信号が、隣り合う通過帯域がＲＦ信号の最大変調幅以上の帯域分重複した複数のバンドパスフィルタ部で濾波され、通過帯域ごとに設けられたディジタルＲＦメモリ部にそれぞれ記録させる記録ステップを有するものといえる。また、実施の形態１に係るＲＦ信号記録再生方法は、実施の形態１に係るＲＦ信号記録方法の各ステップに加え、さらに、記録ステップでディジタルＲＦメモリ部にそれぞれ記録されたＩＦ信号を使用してＲＦ信号を再生する再生ステップを有するものといえる。
【００８６】
ここで、実施の形態１に係るＲＦ信号記録方法及びＲＦ信号記録再生方法の説明を、第２例である図６及び図７に示すＲＦ信号記録再生装置（ＲＦ信号記録装置）が、前述の受信空中線部及び送信空中線部を備えている場合を例にして行う。第１例と第２例との主な違いは、ＳＴＥＰ２、ＳＴＥＰ３、ＳＴＥＰ９、ＳＴＥＰ１０の処理であるため、ＳＴＥＰ２、ＳＴＥＰ３、ＳＴＥＰ９、ＳＴＥＰ１０を中心に説明を行い、同じ処理の説明は省略する場合がある。
【００８７】
ＳＴＥＰ１で受信された電波は、ＲＦ信号として分配部１へ送られる。分配部１によってＲＦ信号はｎ系統に分配され、それぞれ第１周波数変換部群８９（第１ミキサ８１〜８ｎ）に送られて、ＳＴＥＰ２で周波数変換（ダウンコンバート）される。なお、図９においては、第１例に対応させ、ｎ系統への分配はＳＴＥＰ３で実施するように記載されているが、第２例では、ｎ系統への分配はＳＴＥＰ２で実施することになる。図示は省略する。第１周波数変換部群８９で周波数変換されたＲＦ信号は、それぞれ第２周波数変換部群（第２周波数変換部２１〜２ｎ）に送られて、ＳＴＥＰ３で周波数変換（ダウンコンバート）された信号としてバンドパスフィルタ部群３を経て記録部４へ送られる。バンドパスフィルタ部群３（バンドパスフィルタ部３１〜３ｎ）は、隣り合う通過帯域がＲＦ信号の最大変調幅以上の帯域分重複している。
【００８８】
ＳＴＥＰ１は受信ステップに相当する。ＳＴＥＰ２、ＳＴＥＰ３及びＳＴＥＰ３１〜３ｎは、記録ステップ（第１記録ステップ）に相当する。記録ステップ（第１記録ステップ）は、ＲＦ信号が少なくとも二系統に分配され、分配された系統ごとに第１ローカル信号でそれぞれ周波数変換（ＳＴＥＰ２）し、さらに系統ごとに異なる第２ローカル信号でそれぞれ周波数変換して系統ごとに出力されたＩＦ信号が、隣り合う通過帯域がＲＦ信号の最大変調幅以上の帯域分重複した複数のバンドパスフィルタ部３１〜３ｎで濾波され（ＳＴＥＰ３）、通過帯域ごとに設けられたディジタルＲＦメモリ部にそれぞれ記録させる（ＳＴＥＰ３１〜３ｎ）ものといえる。
【００８９】
ＳＴＥＰ９では、再生部５は、ディジタルＲＦメモリ部（ディジタルＲＦメモリ部４１、ディジタルＲＦメモリ部４２、・・、ディジタルＲＦメモリ部４ｎ）ごとに記録（記憶）されたＩＦ信号を元にＲＦ信号を再生する際に、使用するＩＦ信号に対応する系統における第２ローカル信号を、第３ミキサ１３に送り、当該ＩＦ信号を周波数変換（アップコンバート）する。詳しく説明すると、周波数変換（アップコンバート）は、ＳＴＥＰ１０にて、第３ミキサ１３から送られてきて、第４ミキサ１４にて、使用するＩＦ信号に対応する系統における第１ローカル信号を切換部１２が切り換えて、切換部１２を介して送られてきた第１ローカル信号をミキシングし、ＩＦ信号をＲＦ信号（再生）に周波数変換（アップコンバート）される。このＲＦ信号は送信空中線部に送られ、ＳＴＥＰ１１で空間に送出される。
【００９０】
ＳＴＥＰ７、ＳＴＥＰ８、ＳＴＥＰ４０１、ＳＴＥＰ４０２、ＳＴＥＰ４０３は再生ステップに相当する。再生ステップは、ＳＴＥＰ９、ＳＴＥＰ１０（ＳＴＥＰ１１）を含めて、使用するＩＦ信号を第２ローカル信号で周波数変換し、さらに、使用するＩＦ信号に対応する系統における第１ローカル信号で周波数変換してＲＦ信号を再生するステップを含むものとしてもよい。ＳＴＥＰ１１は、送信空中線部を使用するかどうかで再生ステップに含めるかどうかを判断すればよい。ＳＴＥＰ１１は送信ステップに相当するといえる。
【００９１】
よって、実施の形態１に係るＲＦ信号記録方法は、ＲＦ信号が少なくとも二系統に分配され、分配された系統ごとに第１ローカル信号でそれぞれ周波数変換し、さらに系統ごとに異なる第２ローカル信号でそれぞれ周波数変換して系統ごとに出力されたＩＦ信号が、隣り合う通過帯域がＲＦ信号の最大変調幅以上の帯域分重複した複数のバンドパスフィルタ部で濾波され、通過帯域ごとに設けられたディジタルＲＦメモリ部にそれぞれ記録させる記録ステップを有するものといえる。
【００９２】
したがって、第１例及び第２例から、実施の形態１に係るＲＦ信号記録方法は、ＲＦ信号が少なくとも二系統に分配され、分配された系統ごとに異なるローカル信号による周波数変換がされ、系統ごとに出力されたＩＦ信号が、ＩＦ信号を周波数変換する前の周波数に換算した場合の通過帯域であって、隣り合う通過帯域がＲＦ信号の最大変調幅以上の帯域分重複した複数のバンドパスフィルタ部で濾波され、バンドパスフィルタ部ごとに設けられたディジタルＲＦメモリ部にそれぞれ記録させることを特徴とするものであるといえる。さらに、この実施の形態１に係るＲＦ信号記録方法（記録ステップ）に加えて、記録ステップでディジタルＲＦメモリ部にそれぞれ記録されたＩＦ信号を使用してＲＦ信号を再生する再生ステップを備えたことを特徴とするものが、実施の形態１に係るＲＦ信号記録再生方法といえる。
【００９３】
このように、実施の形態１に係るＲＦ信号記録再生方法では、ＩＦ信号の検波信号をスレッショルドと比較して信号の有無を検出し、隣り合う系統のＩＦ信号の検波信号同士の検波レベルを比較することによって、最も受信レベル（受信感度、振幅）の高い系統で記録されたディジタルＲＦメモリ部を再生部５が選択することが可能となる。二つのディジタルＲＦメモリ部の記録帯域を一系統として処理するために一部だけ重複させて、一系統で記録周波数範囲をカバーする場合と比較して、実施の形態１に係るＲＦ信号記録再生方法は、選択した一つのディジタルＲＦメモリ部のみを再生できるので、送信空中線部を用いて、再生したＲＦ信号を空間に送出する際、送信ノイズレベルを低減できる。また、実施の形態１に係るＲＦ信号記録再生方法は、複数のディジタルＲＦメモリ部を使用することで、送信帯域の狭帯域化が実現できる。さらに、実施の形態１に係るＲＦ信号記録再生方法は、ディジタルＲＦメモリ部に記録されたＩＦ信号ごとの再生が、常に１系統であるため、複数のディジタルＲＦメモリ部に記録されたＩＦ信号の合成によるスプリアスなどの発生がなく、忠実性の高い再生が可能である。
【００９４】
実施の形態１に係るＲＦ信号記録方法及びＲＦ信号記録再生方法は、例えば、数ＧＨｚの広帯域である記録周波数範囲を狭帯域のディジタルＲＦメモリ部４１〜ディジタルＲＦメモリ部４ｎに分割記録することによって、受信感度を高感度化ができる。また、実施の形態１に係るＲＦ信号記録再生方法は、ｎ個のディジタルＲＦメモリ部の中からＲＦ信号を記録したディジタルＲＦメモリ部を判定して、判定したディジタルＲＦメモリ部のデータのみを選択して再生することが可能であるため、受信瞬時広帯域・送信帯域選択型ディジタルＲＦメモリを用いた方法といえる。受信瞬時広帯域・送信帯域選択型であるために、再生波形の忠実性の向上及び送信ノイズレベルの低減が可能である。なお、再生するディジタルＲＦメモリ部の選択に関して論理回路を使用すれば、ＲＦ信号（レーダ信号）のパルスごとに高速に記録・再生させることができる。つまり、実施の形態１に係るＲＦ信号記録方法及びＲＦ信号記録再生方法は、広帯域かつ高感度を両立したものである。
【符号の説明】
【００９５】
１  分配部、２  周波数変換部群、２１〜２ｎ  第２周波数変換部、
３  バンドパスフィルタ部群、３１〜３ｎ  バンドパスフィルタ部、４  記録部、
４１〜４ｎ  ディジタルＲＦメモリ部、５  再生部、５１  制御部、６  変調部、
７判定部、７１〜７ｎ  判定回路、８  第１ミキサ（第１ミキサ群）、
８１〜８ｎ  第１ミキサ、９  第１発振器（第１発振器群）、
９１〜９ｎ  第１発振器、８９１〜８９ｎ  第１周波数変換部、１０  第２ミキサ群、１０１〜１０ｎ  第２ミキサ、１１  第２発振器群（第２発振器）、
１１１〜１１ｎ  第２発振器、１２  切換部、１３  第３ミキサ、  １４  第４ミキサ、  １５  第１比較器群、１５１〜１５ｎ  第１比較器、
１６  第２比較器群、１６１〜１６ｎ  第２比較器。
【図１】
2019207256.tif 000003
【図２】
2019207256.tif 000004
【図３】
2019207256.tif 000005
【図４】
2019207256.tif 000006
【図５】
2019207256.tif 000007
【図６】
2019207256.tif 000008
【図７】
2019207256.tif 000009
【図８】
2019207256.tif 000010
【図９】
2019207256.tif 000011
【図１０】
2019207256.tif 000012
【図１１】
2019207256.tif 000013